(57)【特許請求の範囲】
【請求項１】
水で飽和した砂質地盤に予め設置孔を形成し、該設置孔に埋設したパイプを通じて空気を注入し、この砂質地盤に多数の気泡を混在させて砂質地盤の飽和度を低下させる砂質地盤の液状化防止工法において、前記形成した設置孔に前記パイプを内挿して、該設置孔とパイプとの間に、パイプに形成した空気注入孔が埋まる位置まで粒状物を充填し、該充填した粒状物によりフィルタ層を形成し、次いで、前記設置孔とパイプとの間に気密性充填材を充填し、該充填した気密性充填材により前記フィルタ層の上に気密層を積層させて形成し、次いで、前記気密層よりも上方の埋め戻しを行なって、パイプを設置孔に埋設するようにして、その際に、前記設置孔に内挿するパイプを複数とし、該複数のパイプに形成した空気注入孔の上下位置がそれぞれ異なるように、これらのパイプを設置孔の内側に配置し、それぞれのパイプの空気注入孔を前記粒状物を充填して埋めるとともに、該粒状物により形成したそれぞれのフィルタ層の上に前記気密性充填材を充填して気密層を積層させて形成する砂質地盤の液状化防止工法。
【請求項２】
水で飽和した砂質地盤に予め設置孔を形成し、該設置孔に埋設したパイプを通じて空気を注入し、この砂質地盤に多数の気泡を混在させて砂質地盤の飽和度を低下させる砂質地盤の液状化防止工法において、前記形成した設置孔に前記パイプを内挿して、該設置孔とパイプとの間に、パイプに形成した空気注入孔が埋まる位置まで粒状物を充填し、該充填した粒状物によりフィルタ層を形成し、次いで、前記設置孔とパイプとの間に気密性充填材を充填し、該充填した気密性充填材により前記フィルタ層の上に気密層を積層させて形成し、次いで、前記気密層よりも上方の埋め戻しを行なって、パイプを設置孔に埋設するようにして、その際に、前記設置孔にパイプを内挿してから粒状物を充填してフィルタ層を形成するまでの間、前記パイプを通じて上方から送水した水を空気注入孔から排出させる砂質地盤の液状化防止工法。
【請求項３】
水で飽和した砂質地盤に予め形成した設置孔の内側に配置したパイプと、該パイプに形成した空気注入孔を埋めるように、パイプの外周面と設置孔の内周面との間に充填された粒状物により形成されたフィルタ層と、該フィルタ層の上のパイプの外周面と設置孔の内周面との間に充填された気密性充填材により形成された気密層とを有し、該気密層よりも上方が埋め戻され、前記パイプの後端部に空気供給手段を接続し、前記設置孔の内側に配置したパイプが複数であるとともに、該複数のパイプに形成した空気注入孔の上下位置がそれぞれ異なるように、これらのパイプが設置孔の内側に配置され、それぞれのパイプの空気注入孔が前記粒状物により形成されたフィルタ層に埋められているとともに、それぞれのフィルタ層の上に前記気密性充填材により形成された気密層が積層している砂質地盤への空気注入構造。
【発明の詳細な説明】
【技術分野】
【０００１】
本発明は、砂質地盤の液状化防止工法および砂質地盤への空気注入構造に関し、さらに詳しくは、水で飽和した砂質地盤に予め形成した設置孔に埋設したパイプを通じて、この砂質地盤に空気を注入して液状化を防止するにあたり、パイプに形成した空気注入孔の目詰まりを防止するとともに、注入した空気が、埋設したパイプの外周面まわりおよび設置孔の内周面まわりに生じるすき間を通じて地上に漏出することを防止して、水で飽和した砂質地盤の液状化防止対策を施すことを可能にした砂質地盤の液状化防止工法および砂質地盤への空気注入構造に関するものである。
【背景技術】
【０００２】
従来、水で飽和した砂質地盤の液状化を防止するために、この砂質地盤中に気泡を混入させた水を注入したり、空気を直接注入することにより、水で飽和した砂質地盤中に多数の気泡を混在させて砂質地盤の飽和度を低下させる工法が種々提案されている（例えば、特許文献１参照）。気泡を混入させた水を注入する方法は、水とほぼ同じ比重のものを注入するため、薬液の注入と同様に行なうことが可能であるが、空気を直接注入する方法では、空気を注入するパイプを水で飽和した砂質地盤に貫入させる時に、そのパイプに形成された空気注入孔に、砂質地盤中の細粒分や異物等が詰まることがあった。そのため、水で飽和した砂質地盤に貫入させたパイプから空気を注入する際に、目詰まりしている空気注入孔からは空気を注入することができずに、砂質地盤の飽和度を低下させることができないという問題があった。
【０００３】
そこで、水で飽和した砂質地盤を予め削孔して形成した設置孔にパイプを埋設することで、パイプに形成された空気注入孔の目詰まりをある程度防止することができる。しかしながら、このような埋設方式を採用した場合、パイプの外周面と埋め戻し材との間および埋め戻し材と設置孔の内周面との間を、すき間なく確実に埋めることが難しいため、パイプの外周面まわりおよび設置孔の内周面まわりには、すき間が生じ易くなる。そのため、空気注入孔から排出された空気が、水で飽和した砂質地盤に注入されずに、このすき間を通じて地上に漏出するという欠点があった。そのため、水で飽和した砂質地盤の飽和度を低下させることができないという問題があった。
【０００４】
上述した砂質地盤に直接空気を注入することが困難であることの背景を、より詳しく言えば、水と空気とではその比重に約１０００倍の差があり、かつ圧縮性流体である空気を、非圧縮性流体である水で飽和した地盤に注入すること自体が難しい。例えば、建設工事等で利用される薬液注入工の溶液のように、水に比重が近く、若しくは水より比重が大きい非圧縮性流体を注入する場合の圧力差（地盤の土水圧と注入圧力との差）を利用して液圧により地下水を押圧排除しながら高圧の連続体となる溶液を注入する技術分野とは異なり、空気（気体）を注入する場合には加圧された空気圧により空気注入箇所近傍の場の圧力が全体的に高圧化する。また、流体の連続性を維持することが非常に困難であるため、先述したようなパイプの外周面と埋め戻し材との間、埋め戻し材と設置孔の内周面まわりからの漏気が発生するという問題があった。同時に、埋設したパイプに形成された空気注入孔によって空気注入箇所の範囲が局所化する程、先述した漏気現象が頻発するという問題があった。
【特許文献１】特開平２−１２５０１３号公報
【発明の開示】
【発明が解決しようとする課題】
【０００５】
本発明の目的は、水で飽和した砂質地盤に予め形成した設置孔に埋設したパイプを通じて、この砂質地盤に空気を注入して液状化を防止するにあたり、パイプに形成した空気注入孔の目詰まりを防止するとともに、注入した空気が、埋設したパイプの外周面まわりおよび設置孔の内周面まわりに生じるすき間を通じて地上に漏出することを防止して、水で飽和した砂質地盤の液状化防止対策を施すことを可能にした砂質地盤の液状化防止工法および砂質地盤への空気注入構造を提供することにある。
【課題を解決するための手段】
【０００６】
上記目的を達成するため本発明の砂質地盤の液状化防止工法は、水で飽和した砂質地盤に予め設置孔を形成し、該設置孔に埋設したパイプを通じて空気を注入し、この砂質地盤に多数の気泡を混在させて砂質地盤の飽和度を低下させる砂質地盤の液状化防止工法において、前記形成した設置孔に前記パイプを内挿して、該設置孔とパイプとの間に、パイプに形成した空気注入孔が埋まる位置まで粒状物を充填し、該充填した粒状物によりフィルタ層を形成し、次いで、前記設置孔とパイプとの間に気密性充填材を充填し、該充填した気密性充填材により前記フィルタ層の上に気密層を積層させて形成し、次いで、前記気密層よりも上方の埋め戻しを行なって、パイプを設置孔に埋設するようにして、その際に、前記設置孔に内挿するパイプを複数とし、該複数のパイプに形成した空気注入孔の上下位置がそれぞれ異なるように、これらのパイプを設置孔の内側に配置し、それぞれのパイプの空気注入孔を前記粒状物を充填して埋めるとともに、該粒状物により形成したそれぞれのフィルタ層の上に前記気密性充填材を充填して気密層を積層させて形成することを特徴とするものである。
【０００７】
本発明の別の砂質地盤の液状化防止工法は、水で飽和した砂質地盤に予め設置孔を形成し、該設置孔に埋設したパイプを通じて空気を注入し、この砂質地盤に多数の気泡を混在させて砂質地盤の飽和度を低下させる砂質地盤の液状化防止工法において、前記形成した設置孔に前記パイプを内挿して、該設置孔とパイプとの間に、パイプに形成した空気注入孔が埋まる位置まで粒状物を充填し、該充填した粒状物によりフィルタ層を形成し、次いで、前記設置孔とパイプとの間に気密性充填材を充填し、該充填した気密性充填材により前記フィルタ層の上に気密層を積層させて形成し、次いで、前記気密層よりも上方の埋め戻しを行なって、パイプを設置孔に埋設するようにして、その際に、前記設置孔にパイプを内挿してから粒状物を充填してフィルタ層を形成するまでの間、前記パイプを通じて上方から送水した水を空気注入孔から排出させることを特徴とするものである。
【０００８】
また、本発明の砂質地盤への空気注入構造は、水で飽和した砂質地盤に予め形成した設置孔の内側に配置したパイプと、該パイプに形成した空気注入孔を埋めるように、パイプの外周面と設置孔の内周面との間に充填された粒状物により形成されたフィルタ層と、該フィルタ層の上のパイプの外周面と設置孔の内周面との間に充填された気密性充填材により形成された気密層とを有し、該気密層よりも上方が埋め戻され、前記パイプの後端部に空気供給手段を接続し、前記設置孔の内側に配置したパイプが複数であるとともに、該複数のパイプに形成した空気注入孔の上下位置がそれぞれ異なるように、これらのパイプが設置孔の内側に配置され、それぞれのパイプの空気注入孔が前記粒状物により形成されたフィルタ層に埋められているとともに、それぞれのフィルタ層の上に前記気密性充填材により形成された気密層が積層していることを特徴とするものである。
【発明の効果】
【００１０】
本発明の砂質地盤の液状化防止工法によれば、水で飽和した砂質地盤に予め形成した設置孔にパイプを内挿して、該設置孔とパイプとの間に、パイプに形成した空気注入孔が埋まる位置まで粒状物を充填してフィルタ層を形成し、次いで、前記設置孔とパイプとの間に気密性充填材を充填して前記フィルタ層の上に気密層を積層させて形成し、次いで、前記気密層よりも上方の埋め戻しを行なって、パイプを設置孔に埋設するようにしたので、パイプの外周面まわりのすき間、設置孔の内周面まわりのすき間を十分に埋めることができない場合であっても、このすき間は、気密層によって上下に遮断される。これにより、直接空気を砂質地盤に注入することが可能になり、空気注入孔から排出された空気が、水で飽和した砂質地盤に注入されずに、パイプの外周面まわりのすき間、設置孔の内周面まわりのすき間を通じて地上に漏出することを防止でき、水で飽和した砂質地盤に、多数の気泡を混在させて飽和度を低下させる液状化防止対策を施すことが可能になる。
【００１１】
また、パイプに形成した空気注入孔は、フィルタ層によって囲まれるので目詰まりの発生を防止することができる。さらに、フィルタ層の外周全面が、水で飽和した砂質地盤に対する多孔空気注入層を形成するため空気の拡散性に富み、効率的に空気を注入することができる。
【００１２】
本発明の砂質地盤への空気注入構造によれば、水で飽和した砂質地盤に予め形成した設置孔の内側に配置したパイプに形成した空気注入孔を埋めるように、パイプの外周面と設置孔の内周面との間に充填された粒状物により形成されたフィルタ層と、該フィルタ層の上のパイプの外周面と設置孔の内周面との間に充填された気密性充填材により形成された気密層とを有し、該気密層よりも上方が埋め戻されているので、パイプの外周面まわりのすき間、設置孔の内周面まわりのすき間を十分に埋めることができない場合であっても、このすき間は、気密層によって上下に遮断される。
【００１３】
したがって、パイプの後端部に接続した空気供給手段により供給した空気を直接、砂質地盤に注入することが可能になり、空気注入孔から排出された空気が、水で飽和した砂質地盤に注入されずに、パイプの外周面まわりのすき間、設置孔の内周面まわりのすき間を通じて地上に漏出することを防止でき、水で飽和した砂質地盤に、多数の気泡を混在させて飽和度を低下させる液状化防止対策を施すことが可能になる。
【発明を実施するための最良の形態】
【００１４】
以下、本発明の砂質地盤の液状化防止工法および砂質地盤への空気注入構造を図に示した実施形態に基づいて説明する。
【００１５】
まず、図１に例示するように水で飽和した砂質地盤に予め設置孔１を形成しておく。この設置孔１は、上部に拡径した上部孔１ａを有する２段形状になっている。この実施形態では、設置孔１、上部孔１ａのそれぞれに内接するようにケーシング管２、上部ケーシング管２ａを設置して、設置孔１および上部孔１ａの崩壊を防いでいる。
【００１６】
この実施形態では、作業性確保のために上部孔１ａおよび上部ケーシング管２ａを設けているが、これらを省略して直管状の設置孔１を形成してケーシング管２を内接して設けるようにしてもよい。
【００１７】
次いで、図２に例示するように、地盤に空気を注入するパイプ３をケーシング管２に所定の深さまで内挿する。このパイプ３は先端が封止しされていて、先端部の周面には多数の空気注入孔４が形成されている。パイプ３は、金属、非金属を問わず樹脂のような可撓性部材なども含めて種々の材質のものを用いることができるが、絶縁対策として非導電性素材、例えば、塩化ビニル製にすることが好ましい。
【００１８】
次いで、図３に例示するように、地上に設置した水タンク８とパイプ３とを、パイプ３の上端部に設けた接続部１０を介して接続する。これにより、送水手段となる水タンク８の内部の水Ｗは、パイプ３を通じて下方に重力により自然送水されて空気注入孔４からパイプ３の外部へ排出される。
【００１９】
このように、空気注入孔４から水を排出している状態で、ケーシング管２の内周面とパイプ３の外周面との間に、上方から珪砂Ｓを投入する。珪砂Ｓは、パイプ３に形成した空気注入孔４がすべて埋まる位置まで充填する。この充填された珪砂Ｓにより、設置孔１の内周面とパイプ３の外周面の間に所定厚さのフィルタ層５を形成する。
【００２０】
フィルタ層５を形成するには、珪砂Ｓ以外の粒状物、例えば、人工細骨材、砕石、砂等を用いることができる。フィルタ層５の通気性を確保するために、この粒状物の粒径は例えば、７５μｍ〜２ｍｍ程度にする。空気注入孔４がフィルタ層５によって囲まれる構造になるので、砂質地盤中の砂およびその細粒分や異物等が空気注入孔４に詰まりにくくなる。さらに、フィルタ層５がその外周全面にわたって非常に緻密な多孔性の空気注入孔を形成することになるので、パイプ３とフィルタ層５とは一体的な空気注入構造をなし、砂質地盤に対する空気注入ポイントが飛躍的に増大することになる。
【００２１】
この実施形態では、ケーシング管２にパイプ３を内挿してから珪砂Ｓを充填してフィルタ層５を形成するまでの間、パイプ３を通じて上方から送水した水Ｗを空気注入孔４から排出させているので、投入した珪砂Ｓの細粒分が空気注入孔４に一段と詰まり難くなる。
【００２２】
投入した珪砂Ｓが空気注入孔４に詰まり易い場合には、パイプ３を通じて加圧して送水することもできる。また、投入した珪砂Ｓが空気注入孔４にほとんど詰まらない場合には、送水せずに珪砂Ｓを充填することもできる。
【００２３】
次いで、図４に例示するように、ケーシング管２を上方移動させて、ケーシング管２の下端がフィルタ層５の上端部近傍になる位置でケーシング管２を固定した状態で維持し、この際に上方からの送水は終了させる。この状態で、図５に例示するように、ケーシング管２の内周面とパイプ３の外周面との間に、上方からペレット状の気密性充填材Ｆを投入する。この充填された気密性充填材Ｆにより、設置孔１の内周面とパイプ３の外周面の間に所定厚さの気密層６を形成する。これにより、フィルタ層５の上に気密層６が積層された構造になる。
【００２４】
気密性充填材Ｆは、通気を遮断できるものであればよく、例えば、水と接触して膨張する水膨潤性遮水材を用いることができる。具体的には、ベントナイト、高分子ポリマー等を例示することができる。地上にて流動化処理した気密性充填材Ｆを用いる場合には、ケーシング管２とパイプ３とのすき間に別途、トレミー管等を挿入してフィルタ層５の上面から打ち上げるようにすればよい。
【００２５】
次いで、図６に例示するように、気密層６よりも上方を埋め戻して、埋め戻し層７を積層させて形成する。また、ケーシング管２および上部ケーシング管２ａを地上に引抜く。埋め戻し層７は、例えば、所定の厚さをセメント系材料で埋め戻すことにより形成し、セメント層の上を一般的な埋め戻し材（土壌）で埋め戻して形成する。その他、埋め戻し層７は、種々の埋め戻し材により形成することができる。
【００２６】
このようにして設置孔１を埋め戻して、パイプ３を設置孔１に埋設した後は、図７に例示するように、地上に設置した空気供給装置９とパイプ３とを、パイプ３の上端部に設けた接続部１０を介して接続する。これにより、本発明の砂質地盤への空気注入構造となる。パイプ３を通じて空気供給手段となる空気供給装置９から供給された空気Ａは、空気注入孔４からパイプ３の外部へ排出される。
【００２７】
珪砂Ｓによって形成されているフィルタ層５は通気性に優れ、空気注入孔４から排出された空気Ａは円滑にフィルタ層５を通過して、水で飽和した砂質地盤に注入される。また、空気注入孔４よりも遥かに面積が大きなフィルタ層５を通じて空気Ａが砂質地盤に注入されるので、一度に広範囲に空気Ａを注入することが可能になる。
【００２８】
即ち、先述したように、フィルタ層５がその外周全面にわたって非常に緻密な多孔性の空気注入孔を形成することになるので、パイプ３とフィルタ層５とにより一体的な空気注入構造が構成され、砂質地盤に対する空気注入ポイントが飛躍的に増大することになる。これにより、優れた空気注入効率および卓越した空気拡散性を得ることができる。
【００２９】
つまり、非圧縮性流体である水で飽和した砂質地盤に、圧縮性流体である空気を注入する場合においては、砂質地盤を構成する土粒子相互の固結や閉塞等によって注入口近傍で空気流路の遮断が発生し、注入する空気を高圧化しても空気泡が潰れてしまうため、注入不可能に至るケースが多発する。しかしながら、本発明では極めて多数の注入ポイントをフィルタ層５の形成によって設けているので、このような問題で支障が生じることなく空気を注入することができ、注入された空気Ａによって、水で飽和した砂質地盤には多数の気泡が混在することになるので、飽和度が低下して液状化を防止することができる。
【００３０】
本発明では、パイプ３の外周面と埋め戻し材（フィルタ層５や埋め戻し層７）との間のすき間、埋め戻し材と設置孔１の内周面との間をすき間を十分に埋めることができずに、パイプ３の外周面まわりおよび設置孔１の内周面まわりにすき間が生じる場合であっても、このすき間は気密層６によって上下に遮断されることになる。そのため、空気注入孔４から水で飽和した砂質地盤に注入された空気Ａが、パイプ３の外周面まわりのすき間および設置孔１の内周面まわりのすき間を通じて地上に漏出することを防止できる。これによって、水で飽和した砂質地盤に、多数の気泡を混在させて飽和度を低下させる液状化防止対策を施すことができる。
【００３１】
パイプ３に形成する空気注入孔４は、パイプ先端部に設けることが好ましく、パイプ３の先端面（下端面）に設けることもできるが、実施形態のようにパイプ３の先端を封止して、先端部の周面に空気注入孔４を設けることによって、先端面に設けた場合に比べて、空気注入孔４に砂やその細粒分および異物等が入り込みにくくなるので、目詰まりを抑制するにはさらに有利な構造になる。
【００３２】
上記の実施形態では、１本のケーシング管２に１本のパイプ３を内挿して設置孔１に埋設するようにしているが、図８に例示するように複数本のパイプ３を１本のケーシング管２に内挿することもできる。
【００３３】
この実施形態では、複数のパイプ３に形成した空気注入孔４の上下位置がそれぞれ異なるように、これらのパイプ３が水で飽和した砂質地盤に予め形成した設置孔１の内側に配置されている。それぞれのパイプ３の空気注入孔４が珪砂Ｓにより形成されたフィルタ層５に埋められているとともに、それぞれのフィルタ層５の上に気密性充填材Ｆにより形成された気密層６が積層している。最も上に積層している気密層６の上方には埋め戻し層７が積層されて埋め戻されている。それぞれのパイプ３の後端部には接続部１０を介して空気供給装置９が接続されている。
【００３４】
この場合の各部材の設置方法や空気注入手順は、パイプ３を１本使用する場合と基本的に同様であり、以下のとおりである。（１）水で飽和した砂質地盤に上部に拡径した上部孔１ａを有する設置孔１を形成して、設置孔１、上部孔１ａのそれぞれに内接するようにケーシング管２、上部ケーシング管２ａを設置して、設置孔１および上部孔１ａの崩壊を防ぐようにする。（２）１本のパイプ３をケーシング管２に所定深さまで内挿する。（３）地上に設置した水タンク８とパイプ３の上端部とを接続して空気注入孔４から水Ｗを排出している状態で、ケーシング管２の内周面とパイプ３の外周面との間に、上方から珪砂Ｓを投入して所定厚さのフィルタ層５を形成する。（４）ケーシング管２の下端をフィルタ層の上端部近傍まで上方移動させて固定し、ケーシング管２の内周面とパイプ３の外周面との間に、上方から気密性充填材Ｆを投入してフィルタ層５のうえに気密層６を積層させて形成する。（５）気密層６よりも上方を埋め戻して埋め戻し層７を積層させて形成する。（６）上記の（２）〜（５）の各工程をパイプ３の本数に応じて繰り返して行なう。（７）ケーシング管２および上部ケーシング管２ａを地上に引き抜いて設置孔１を埋め戻す。（８）地上に設置した空気供給装置９とパイプ３の上端部とを接続して空気Ａを空気注入孔４から排出する。
【００３５】
以上の（１）〜（８）の工程を行ない、注入された空気Ａによって、水で飽和した砂質地盤に多数の気泡が混在することになるので、飽和度が低下して液状化を防止することが可能になる。尚、図８では、埋め戻し層７を最上層にのみに積層させて形成しているが、複数本のパイプ３の埋設深度が大きく異なる等の場合には、既述した方法により適宜埋め戻し層７を積層させて形成する。
【００３６】
このように、図８に示した実施形態の砂質地盤への空気注入構造は、図１〜図６に例示した同様の手順によって構築することができる。即ち、ケーシング管２に内挿する複数のパイプ３に形成した空気注入孔４の上下位置がそれぞれ異なるように、これらのパイプ３をケーシング管２の内側に配置する点だけが異なり、フィルタ層５、気密層６、埋め戻し層７を積層させる工程等は同様である。
【００３７】
この実施形態によれば、上下方向に一段と広い範囲で空気Ａを注入できるので、効率よく液状化防止対策を施すことが可能になる。空気注入状態を観測しながら、特定層部分（例えば、中間層部分）に限定して空気注入すること等も容易に行なうことができる。特に、原地盤の地層状態が縦断方向に変化する場合等には、その各層ごとに、別々のパイプ３の空気注入孔４を埋設することにより、空気注入をさらに容易に行なうことができる。
【００３８】
また、この実施形態では、１本のパイプ３を埋設する場合に比して、設置孔１が大径化し、これに伴いフィルタ層５の容積、ひいては外周全面の表面積も増大することから、一段と空気注入ポイントが増加することになり、空気の注入効率向上が期待できる。
【００３９】
上述した実施形態では、ケーシング管２を用いているが、形成した設置孔１の壁面が自立する場合は、ケーシング管２を省略することもできる。この場合は、形成した設置孔１にパイプ３を内挿して、設置孔１の内周面とパイプ３の外周面との間に、パイプ３に形成した空気注入孔４が埋まる位置まで珪素Ｓを充填してフィルタ層５を形成する。次いで、設置孔１の内周面とパイプ３の外周面との間に気密性充填材Ｆを充填することにより、フィルタ層５の上に気密層６を積層させて形成する。次いで、気密層６よりも上方の埋め戻しを行なって、パイプ３を設置孔１に埋設する。その後、地上に設置した空気供給装置９とパイプ３の上端部とを接続して空気Ａを空気注入孔４から排出して砂質地盤に注入する。
【００４０】
尚、本発明では、設置孔１を傾斜させて斜坑形態で設置することもできる。
【図面の簡単な説明】
【００４１】
【図１】本発明の砂質地盤の液状化防止工法の実施形態において、設置孔およびケーシング管を設置する工程を例示する縦断面図である。
【図２】砂質地盤の液状化防止工法の実施形態において、設置孔にパイプを内挿する工程を例示する縦断面図である。
【図３】砂質地盤の液状化防止工法の実施形態において、フィルタ層を形成する工程を例示する縦断面図である。
【図４】砂質地盤の液状化防止工法の実施形態において、気密層を形成するに際して、ケーシング管を上方移動させる工程を例示する縦断面図である。
【図５】砂質地盤の液状化防止工法の実施形態において、気密層を形成する工程を例示する縦断面図である。
【図６】砂質地盤の液状化防止工法の実施形態において、埋め戻し層を形成する工程を例示する縦断面図である。
【図７】砂質地盤の液状化防止工法の実施形態において、水で飽和した砂質地盤に空気を注入する工程を例示するとともに、本発明の砂質地盤への空気注入構造の実施形態を例示する縦断面図である。
【図８】砂質地盤への空気注入構造の他の実施形態を例示する縦断面図である。
【符号の説明】
【００４２】
１  設置孔
１ａ  上部孔
２  ケーシング管
２ａ  上部ケーシング管
３  パイプ
４  空気注入孔
５  フィルタ層
６  気密層
７  埋め戻し層
８  水タンク
９  空気供給装置
１０  接続部
【図１】
0004903650.tif 000002
【図２】
0004903650.tif 000003
【図３】
0004903650.tif 000004
【図４】
0004903650.tif 000005
【図５】
0004903650.tif 000006
【図６】
0004903650.tif 000007
【図７】
0004903650.tif 000008
【図８】
0004903650.tif 000009